(57)【特許請求の範囲】
【請求項１】
アダプティブアレイアンテナを備えた基地局に於いて、
周辺の基地局をサーチする周辺基地局検索手段と、
該検索手段にて検索された周辺基地局からの信号レベルに基づき位置方向を検出する検出手段と、
周辺に存在する基地局の位置方向データを記憶する記憶手段と、
該検出手段により検出された位置方向データと該記憶手段に格納された位置方向データを比較する比較手段を備え、
該比較手段の結果により、アダプティブアレイアンテナの障害発生の有無を検出することを特徴とするアダプティブアレイ基地局。
【発明の詳細な説明】
【０００１】
【発明の属する技術分野】
本発明は、アダプティブアレイアンテナを備えた基地局に関し、アダプティブアレイアンテナの障害を検出する方法に関する。
【０００２】
【従来の技術】
近年、ＰＨＳや携帯電話等の移動通信システムの無線基地局として、アダプティブアレイアンテナを用いたアダプティブアレイ基地局が考えられている。
【０００３】
アダプティブアレイ基地局の概念図を図５に示す。
【０００４】
２は、アダプティブアレイアンテナを示し、９ａ、９ｂ、９ｃは移動端末１０ａ、１０ｂ、１０ｃに対する端末方向指向性電波エリアを示す。また、１１は、アダプティブアレイ基地局を示す。
【０００５】
アダプティブアレイアンテナ２を有するアダプティブアレイ基地局１１は、移動端末１０ａ、１０ｂ、１０ｃが制御チャネルを用いて無線リンクを確立する為の要求を送信してきた際に、無線リンクの確立を行う手順を実行するが、その際、移動端末１０ａ、１０ｂ、１０ｃの方向へ電波エリアの指向性を向けることによりノイズや波形歪みのない信号を得るようにしたものである。
【０００６】
しかし、現在のアダプティブアレイ基地局に於いては、アダプティブアレイアンテナに障害が発生し、正しく指向性を向けることができなくなったような場合に関して、それを検出する手段が確立されていないという問題点を有している。
【０００７】
【発明が解決しようとする課題】
本発明は、前記問題に鑑みてなされたものであり、アダプティブアレイアンテナの障害を検出する機能を提供することを目的とするものである。
【０００８】
【課題を解決するための手段】
本発明は、アダプティブアレイアンテナを備えた基地局に於いて、周辺の基地局をサーチする周辺基地局検索手段と、該検索手段にて検索された周辺基地局からの信号レベルに基づき位置方向を検出する検出手段と、周辺に存在する基地局の位置方向データを記憶する記憶手段と、該検出手段により検出された位置方向データと該記憶手段に格納された位置方向データを比較する比較手段を備え、該比較手段の結果により、アダプティブアレイアンテナの障害発生の有無を検出することを特徴とする。
【０００９】
【発明の実施の形態】
本発明の一実施の形態を図１乃至図４に基づいて説明する。
【００１０】
図１は、アダプティブアレイ基地局１が、制御チャネル上でモニタを行うことにより周辺基地局４ａ、４ｂ、４ｃ、４ｄから送信される制御信号がモニタできるフレームタイミングを決定し、周辺基地局４ａ、４ｂ、４ｃ、４ｄのＣＳ−ＩＤを獲得した後に、決定したフレームタイミングにおいて、受信指向性を変化させ、制御信号のレベルが最大になる指向性パターンを獲得する際の概念図である。
【００１１】
図２は、アダプティブアレイ基地局１の機能ブロック図であり、アダプティブアレイアンテナ２と、前記アンテナから受信した信号に基づき、周辺に存在する基地局の検索を行う周辺基地局検索部５と、前記周辺基地局検索部５において、検索された周辺基地局の位置方向を検出する位置方向検出部６と、予め通信事業者のネットワークセンタ等から受信した周辺に存在する基地局のＣＳ−ＩＤ及び位置方向データを記憶する位置方向記憶部７と、前記位置方向検出部６の検出結果と、前記位置方向記憶部７に格納された位置方向データを比較する位置方向比較部８が設けられている。
【００１２】
図３は、アダプティブアレイアンテナの異常検出時の処理を示すフローチャートである。
【００１３】
アダプティブアレイ基地局１に於いて、アンテナ異常が発生しているか否かを診断する際、予めアダプティブアレイ基地局１は、通信事業者のネットワークセンタ等と通信を行うことにより、周辺基地局４ａ、４ｂ、４ｃ、４ｄのＣＳ−ＩＤと位置方向データを獲得し、それを位置方向記憶部７に格納する（Ｓ１）。図４は、前記位置方向記憶部７に格納された、位置方向データの例である。行方向に周辺基地局のＣＳ−ＩＤ、列方向に各アンテナの番号を示す。
【００１４】
アダプティブアレイ基地局１は、周辺基地局４ａ、４ｂ、４ｃ、４ｄが定常的に間欠送信を行っている、制御チャネル上の信号をモニタすることにより、周辺基地局４ａ、４ｂ、４ｃ、４ｄが存在するか否かをサーチする。
【００１５】
アダプティブアレイ基地局１と周辺基地局４ａ、４ｂ、４ｃ、４ｄに於いて、フレームタイミングの同期が確立されていない場合、アダプティブアレイ基地局１は、初期のフレームタイミングで受信可能な信号の中に、Ｓ１で獲得した周辺基地局４ａ、４ｂ、４ｃ、４ｄのＣＳ−ＩＤが含まれているか否かを確認する（Ｓ３）。また、アダプティブアレイ基地局１は、周辺基地局４ａ、４ｂ、４ｃ、４ｄのうち、いずれかのＣＳ−ＩＤを正しく受信した場合、該当する周辺基地局から送信される制御信号の受信レベルが最大になる指向性パターンを検出することにより、該当する周辺基地局の位置方向データを獲得する（Ｓ４）。
【００１６】
獲得したＣＳ−ＩＤを元に、位置方向記憶部７に格納された位置方向データを検索し、該当するデータとＳ４に於いて獲得した位置方向データとを位置方向比較部８にて比較する（Ｓ５）。例えば、周辺基地局４ａのアンテナ＃１の位置方向データに関して、位置方向記憶部７に格納されたデータがＰａ１であった場合（図４参照）、位置方向検出部６にて検出されたデータが、Ｐａ１と一致するか、又は期待する誤差の範囲内であった場合は、異常なしと判断し、期待する誤差の範囲を超えた場合は、異常ありと判断する。これと同じ判断をアンテナ＃２、＃３、＃４の各データに関しても行う。これらの判定処理に於いて、全てのアンテナに関するデータのうち、一つでも異常と判定された場合は、アンテナ異常と判断する。
【００１７】
初期のフレームタイミングにおいて検索を行った後、フレームタイミングを一定の間隔ずらし（Ｓ６）、そのフレームタイミングにおいてＣＳ−ＩＤが受信可能な周辺基地局が存在するか否かを検索する。Ｓ３乃至Ｓ６の動作を、全フレームタイミングにおいて行った（Ｓ２）時点で、アンテナ異常検出の動作は終了し、アンテナ異常なしと判断する。
【００１８】
アダプティブアレイ基地局１と周辺基地局４ａ、４ｂ、４ｃ、４ｄに於いて、フレームタイミングの同期が確立されている場合、アダプティブアレイ基地局１は、初期のフレームタイミングで受信可能な信号を検索し、受信できたＣＳ−ＩＤに該当する周辺基地局に対してＳ４乃至Ｓ５の動作を繰り返す。フレームタイミングをずらす（Ｓ６）動作及び、全フレームタイミングの検索が完了したか否かの判定（Ｓ２）は行わない。
【００１９】
アンテナ異常検出動作に於いて、アンテナ異常ありと判断した場合、出力信号によって、外部にその情報を伝達し、アダプティブアレイＰＨＳ基地局１の運用を停止するよう要求するか、アダプティブアレイＰＨＳ基地局１の動作を自律的に停止する等の動作を行う。
【００２０】
【発明の効果】
以上、本発明によれば、アダプティブアレイアンテナを備えた基地局に於いて、アダプティブアレイアンテナの指向性を用いることにより、障害発生の有無の検出が可能となる。
【図面の簡単な説明】
【図１】アダプティブアレイアンテナ異常検出時の概念図である。
【図２】本実施例のアダプティブアレイＰＨＳ基地局の機能ブロック図である。
【図３】アダプティブアレイアンテナ異常検出時の処理を示すフローチャートである。
【図４】本実施例の位置方向データを示す表である。
【図５】アダプティブアレイ基地局の概念図である。
【符号の説明】
１                    アダプティブアレイ基地局
２                    アダプティブアレイアンテナ
３ａ、３ｂ、３ｃ、３ｄ          周辺基地局方向指向性電波エリア
４ａ、４ｂ、４ｃ、４ｄ          周辺基地局
５                      周辺基地局検索部
６                      位置方向検出部
７                      位置方向記憶部
８                      位置方向比較部
９ａ、９ｂ、９ｃ        端末方向指向性電波エリア
１０ａ、１０ｂ、１０ｃ          移動端末
１１                  アダプティブアレイ基地局
【図１】
0003588282.tif 000002
【図２】
0003588282.tif 000003
【図３】
0003588282.tif 000004
【図４】
0003588282.tif 000005
【図５】
0003588282.tif 000006